【手続補正書】
【提出日】平成16年6月16日(2004.6.16)
【手続補正１】
【補正対象書類名】明細書
【補正対象項目名】特許請求の範囲
【補正方法】変更
【補正の内容】
【特許請求の範囲】
【請求項１】
板面に対して垂直な回転軸を中心として駆動モータによって回転する回転板と、
前記回転板に設けられ、前記回転板の周方向へ形成された経路部と、
前記経路部を遊戯者がなぞるための手動なぞり手段と、
前記遊戯者の前記手動なぞり手段によるなぞり操作の適否を検出する検出手段とを備えたことを特徴とする経路なぞりゲーム機。
【請求項２】
前記経路部は、
不規則に弯曲した弯曲内側壁と、該弯曲内側壁に平行な弯曲外側壁とにより経路を形成され、前記弯曲内側壁および前記弯曲外側壁は電気良導体によって構成されており、
前記手動なぞり手段には、
一定の電圧が印加され、
前記検出手段は、
前記手動なぞり手段が前記弯曲内側壁または前記弯曲外側壁に接触したときに流れる電流を検出することを特徴とする請求項１記載の経路なぞりゲーム機。
【請求項３】
前記経路部に、前記手動なぞり手段の通過を間欠的に阻止するなぞり阻止手段が設けられたことを特徴とする請求項１または請求項２いずれか記載の経路なぞりゲーム機。
【請求項４】
前記経路部に、前記手動なぞり手段を遊戯しうる遊戯部を有する滞留手段が、前記経路部内で回転可能に設けられたことを特徴とする請求項１または請求項２いずれか記載の経路なぞりゲーム機。
【請求項５】
前記回転板が回転する回転軸を中心に、前記回転板が回転する速度より早い速度で回転し、プレーヤによって該経路部内を移動する前記手動なぞり手段を追跡する追跡手段が設けられたことを特徴とする請求項１または請求項２いずれか記載の経路なぞりゲーム機。
【請求項６】
前記検出手段からの検出信号によって前記なぞり操作が不適正であることが検出された場合に、前記なぞり操作の失敗を表示するなぞり失敗表示手段を具備したことを特徴とする請求項１または請求項２いずれか経路なぞりゲーム機。
【請求項７】
前記回転板が不規則な回転速度で回転するように前記駆動モータを制御することを特徴とする請求項１または請求項２いずれか記載の経路なぞりゲーム機。
【手続補正２】
【補正対象書類名】明細書
【補正対象項目名】０００４
【補正方法】変更
【補正の内容】
【０００４】
【課題を解決するための手段および効果】
本出願発明は、このような難点を克服した経路なぞりゲーム装置の改良に係り、請求項１記載の発明は、板面に対して垂直な回転軸を中心として駆動モータによって回転する回転板と、前記回転板に設けられ、前記回転板の周方向へ形成された経路部と、前記経路部を遊戯者がなぞるための手動なぞり手段と、前記遊戯者の前記手動なぞり手段によるなぞり操作の適否を検出する検出手段とを備えたことを特徴とするものである。
【手続補正３】
【補正対象書類名】明細書
【補正対象項目名】０００５
【補正方法】変更
【補正の内容】
【０００５】
請求項１記載の発明は、前記したように構成されているので、前記手動なぞり手段でもって前記回転板の経路部をなぞり、この経路なぞりが正確に行なわれた場合には、前記検出手段でもってこの経路なぞりが成功したことが検出される。
また、前記経路部のなぞりが正確に行なわれない場合には、前記検出手段でもってこのなぞりが失敗であることが検出される。
【手続補正４】
【補正対象書類名】明細書
【補正対象項目名】０００６
【補正方法】変更
【補正の内容】
【０００６】
そして、経路部を有する回転板は回転するため、停止したものと比べて、経路部をなぞる際の軌跡は経路部の形状と異なり、そのなぞり操作が複雑化し、ゲーム性が高い。
さらに、経路部を有する手段が回転板であるため、静止したままゲームを行なうことができる結果、ゲーム機を設置するスペースが狭くてもよく、しかも経路部の形状が異なる回転板を多数用意することにより、多種、多様のゲームを行なうことができ、プレーヤにマンネリ感を与えることがない。
【手続補正５】
【補正対象書類名】明細書
【補正対象項目名】０００７
【補正方法】変更
【補正の内容】
【０００７】
また、請求項２記載の発明は、前記経路部は、不規則に弯曲した弯曲内側壁と、該弯曲内側壁に平行な弯曲外側壁とにより経路を形成され、前記弯曲内側壁および前記弯曲外側壁は電気良導体によって構成されており、前記手動なぞり手段には、一定の電圧が印加され、前記検出手段は、前記手動なぞり手段が前記弯曲内側壁または前記弯曲外側壁に接触したときに流れる電流を検出することを特徴とするものである。
【手続補正６】
【補正対象書類名】明細書
【補正対象項目名】０００８
【補正方法】変更
【補正の内容】
【０００８】
請求項２記載のように発明が構成されたため、前記手動なぞり手段が経路部に接触しないことで、なぞり操作が成功したことが電気的に検出されることとなり、構造が簡単で動作が確実な経路なぞりゲーム機が得られる。
【手続補正７】
【補正対象書類名】明細書
【補正対象項目名】０００９
【補正方法】変更
【補正の内容】
【０００９】
さらに、請求項３記載の発明は、前記経路部に、前記手動なぞり手段の通過を間欠的に阻止するなぞり阻止手段が設けられたことを特徴とするものである。
【手続補正８】
【補正対象書類名】明細書
【補正対象項目名】００１０
【補正方法】変更
【補正の内容】
【００１０】
請求項３記載の発明のように発明を構成することにより、前記経路部中を前記手動なぞり手段でもってなぞらせている際に、前記なぞり阻止手段がなぞり可能となった瞬間に、前記手動なぞり手段を通過させるようにすることが必要となり、ゲームに緊張感を与えて、興趣を高めることができる。
【手続補正９】
【補正対象書類名】明細書
【補正対象項目名】００１１
【補正方法】変更
【補正の内容】
【００１１】
さらにまた、請求項４記載の発明は、前記経路部に、前記手動なぞり手段を遊戯しうる遊戯部を有する滞留手段が、前記経路部内で回転可能に設けられたことを特徴とするものである。
【手続補正１０】
【補正対象書類名】明細書
【補正対象項目名】００１２
【補正方法】変更
【補正の内容】
【００１２】
請求項４記載の発明のように発明を構成することにより、前記手動なぞり手段を経路部中の遊戯部を有する滞留手段に移動させた際に該遊戯部を有する滞留手段中で前記手動なぞり手段を回転させる必要が生じ、ゲームに変化を与えることができる。
【手続補正１１】
【補正対象書類名】明細書
【補正対象項目名】００１３
【補正方法】変更
【補正の内容】
【００１３】
しかも、請求項５記載の発明は、前記回転板が回転する回転軸を中心に、前記回転板が回転する速度より早い速度で回転し、プレーヤによって該経路部内を移動する前記手動なぞり手段を追跡する追跡手段が設けられたことを特徴とするものである。
【手続補正１２】
【補正対象書類名】明細書
【補正対象項目名】００１４
【補正方法】変更
【補正の内容】
【００１４】
請求項５記載の発明のように発明を構成することにより、前記経路部に対する前記手動なぞり手段のなぞり操作に迅速性が要求され、ゲームに高い緊張感が与えられる。
【手続補正１３】
【補正対象書類名】明細書
【補正対象項目名】００１５
【補正方法】変更
【補正の内容】
【００１５】
また、請求項６記載の発明は、前記検出手段からの検出信号によって前記なぞり操作が不適正であることが検出された場合に、前記なぞり操作の失敗を表示するなぞり失敗表示手段を具備したことを特徴とするものである。
【手続補正１４】
【補正対象書類名】明細書
【補正対象項目名】００１６
【補正方法】変更
【補正の内容】
【００１６】
請求項６記載の発明のように発明を構成することにより、経路なぞり操作の成功、失敗を表示してプレーヤに成功の喜びまたは失敗の悔しさを与えることができる。
【手続補正１５】
【補正対象書類名】明細書
【補正対象項目名】００１７
【補正方法】変更
【補正の内容】
【００１７】
さらに、請求項７記載の発明は、前記回転板が不規則な回転速度で回転するように前記駆動モータを制御することを特徴とするものである。
【手続補正１６】
【補正対象書類名】明細書
【補正対象項目名】００１８
【補正方法】変更
【補正の内容】
【００１８】
請求項７記載の発明のように発明を構成することにより、経路なぞり操作に困難性を与えて、興趣を盛上げることができる。